(57)【要約】【課題】周波数帯域集約することができる通信システムにおいて、効率的に適切なＭＣＳ、空間多重数、プレコーダの指定および適用を行なうことができる端末装置、基地局装置、通信システムおよび通信方法を提供する。【解決手段】複数のコンポーネントキャリアを集約できる基地局装置と端末装置との間で通信を行う通信システムにおいて、前記基地局装置は、前記コンポーネントキャリア毎の周波数帯域幅における好適な伝送レートを指定する受信品質指標を周期的に報告するためのフィードバック周期を前記コンポーネントキャリアの各々で同じになるように設定し、前記フィードバック周期を用いて前記基地局装置に報告させるための制御情報を前記端末装置に通知し、前記端末装置は、前記基地局装置から通知された前記制御情報に基づいて、前記コンポーネントキャリア毎の前記周波数帯域幅における好適な伝送レートを指定する受信品質指標を周期的に前記基地局装置に報告する。【選択図】図７
2012010221.tif 000002
【特許請求の範囲】
【請求項１】
複数のコンポーネントキャリアを集約できる通信システムにおける基地局装置と通信を行う端末装置であって、
前記コンポーネントキャリア毎の周波数帯域幅における好適な伝送レートを指定する受信品質指標を周期的に報告するためのフィードバック周期を前記コンポーネントキャリアの各々で同じになるように設定し、前記フィードバック周期を用いて前記基地局装置に報告することを特徴とする端末装置。
【請求項２】
前記フィードバック周期は、前記コンポーネントキャリアのいずれかにおける周波数帯域幅に基づいて設定されることを特徴とする請求項１に記載の端末装置。
【請求項３】
前記フィードバック周期は、周波数帯域幅が最も大きい前記コンポーネントキャリアにおける前記周波数帯域幅に基づいて設定されることを特徴とする請求項２に記載の端末装置。
【請求項４】
前記フィードバック周期は、周波数帯域幅が最も小さい前記コンポーネントキャリアにおける前記周波数帯域幅に基づいて設定されることを特徴とする請求項２に記載の端末装置。
【請求項５】
前記フィードバック周期は、前記基地局装置が前記コンポーネントキャリアの中から指定するプライマリーコンポーネントキャリアにおける前記周波数帯域幅に基づいて設定されることを特徴とする請求項２に記載の端末装置。
【請求項６】
前記フィードバック周期は、前記コンポーネントキャリアの全てにおける周波数帯域幅に基づいて設定されることを特徴とする請求項１に記載の端末装置。
【請求項７】
前記コンポーネントキャリア毎の周波数帯域幅における好適な伝送レートを指定する受信品質指標は、前記コンポーネントキャリア毎に巡回的に報告されることを特徴とする請求項１に記載の端末装置。
【請求項８】
前記コンポーネントキャリア毎の周波数帯域幅における好適な伝送レートを指定する受信品質指標は、前記コンポーネントキャリアの全てで同じフィードバック周期によって、巡回的に報告されることを特徴とする請求項７に記載の端末装置。
【請求項９】
前記コンポーネントキャリア毎の周波数帯域幅における好適な伝送レートを指定する受信品質指標は、前記コンポーネントキャリア毎に固有のフィードバック周期によって、巡回的に報告されることを特徴とする請求項７に記載の端末装置。
【請求項１０】
複数のコンポーネントキャリアを集約できる通信システムにおける端末装置と通信を行う基地局装置であって、
前記コンポーネントキャリア毎の周波数帯域幅における好適な伝送レートを指定する受信品質指標を周期的に報告するためのフィードバック周期を前記コンポーネントキャリアの各々で同じになるように設定し、前記フィードバック周期を用いて前記基地局装置に報告させるための制御情報を前記端末装置に通知することを特徴とする基地局装置。
【請求項１１】
前記フィードバック周期は、前記コンポーネントキャリアのいずれかにおける周波数帯域幅に基づいて設定されることを特徴とする請求項１０に記載の基地局装置。
【請求項１２】
前記フィードバック周期は、前記コンポーネントキャリアの全てにおける周波数帯域幅に基づいて設定されることを特徴とする請求項１０に記載の基地局装置。
【請求項１３】
複数のコンポーネントキャリアを集約できる基地局装置と端末装置との間で通信を行う通信システムであって、
前記基地局装置は、
前記コンポーネントキャリア毎の周波数帯域幅における好適な伝送レートを指定する受信品質指標を周期的に報告するためのフィードバック周期を前記コンポーネントキャリアの各々で同じになるように設定し、前記フィードバック周期を用いて前記基地局装置に報告させるための制御情報を前記端末装置に通知し、
前記端末装置は、
前記基地局装置から通知された前記制御情報に基づいて、前記コンポーネントキャリア毎の前記周波数帯域幅における好適な伝送レートを指定する受信品質指標を周期的に前記基地局装置に報告する
ことを特徴とする通信システム。
【請求項１４】
前記フィードバック周期は、前記コンポーネントキャリアのいずれかにおける周波数帯域幅に基づいて設定されることを特徴とする請求項１３に記載の通信システム。
【請求項１５】
前記フィードバック周期は、前記コンポーネントキャリアの全てにおける周波数帯域幅に基づいて設定されることを特徴とする請求項１３に記載の通信システム。
【請求項１６】
複数のコンポーネントキャリアを集約できる通信システムにおける基地局装置と通信を行う端末装置の通信方法であって、
前記コンポーネントキャリア毎の周波数帯域幅における好適な伝送レートを指定する受信品質指標を周期的に報告するためのフィードバック周期を前記コンポーネントキャリアの各々で同じになるように設定し、前記フィードバック周期を用いて前記基地局装置に報告するステップを有することを特徴とする通信方法。
【請求項１７】
複数のコンポーネントキャリアを集約できる通信システムにおける端末装置と通信を行う基地局装置の通信方法であって、
前記コンポーネントキャリア毎の周波数帯域幅における好適な伝送レートを指定する受信品質指標を周期的に報告するためのフィードバック周期を前記コンポーネントキャリアの各々で同じになるように設定し、前記フィードバック周期を用いて前記基地局装置に報告させるための制御情報を前記端末装置に通知するステップを有することを特徴とする通信方法。
【発明の詳細な説明】
【技術分野】
【０００１】
本発明は、端末装置、基地局装置、通信システムおよび通信方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような移動無線通信システムでは、基地局装置（基地局、送信局、下りリンク送信装置、上りリンク受信装置、ｅＮｏｄｅＢ）あるいは基地局に準じる送信局がカバーするエリアをセル（Ｃｅｌｌ）状に複数配置するセルラー構成とすることにより、通信エリアを拡大することができる。また、隣接するセル間またはセクタ間で異なる周波数を用いることでセル端（セルエッジ）領域またはセクタ端領域にいる端末装置（移動局、受信局、上りリンク送信装置、下りリンク受信装置、移動端末、ＵＥ；Ｕｓｅｒ  Ｅｑｕｉｐｍｅｎｔ）でも、複数の基地局装置からの送信信号の干渉を受けることなく通信を行うことができるが、周波数利用効率が低いという問題があった。一方、隣接するセルまたはセクタ間で同一周波数を利用することで、周波数利用効率を向上させることができるが、セル端領域にいる端末装置に対する干渉の対策が必要となる。
【０００３】
また、基地局装置と端末装置との間の伝送路状況に応じて、変調方式および符号化率（ＭＣＳ；Ｍｏｄｕｌａｔｉｏｎ  ａｎｄ  Ｃｏｄｉｎｇ  Ｓｃｈｅｍｅ）や空間多重数（レイヤー数、ランク）やプレコーダ（プリコーダ）などを適応的に制御することで、より効率的なデータ伝送を実現することができる。非特許文献１ではこれらの制御を行う方法が示されている。
【０００４】
図２０は従来の技術におけるフィードバック情報を用いた適応制御を行う基地局装置２００１と端末装置２００２を示す図である。従来の技術において、送信される下りリンク送信信号２００３に対して、ＭＣＳ、空間多重数、プレコーダを適応的に制御するに際し、端末装置２００２は基地局装置２００１から送信される下りリンク送信信号２００３に含まれる下りリンク参照信号（ＲＳ：Ｒｅｆｅｒｅｎｃｅ  Ｓｉｇｎａｌ）を参照して、ＣＱＩ（Ｃｈａｎｎｅｌ  Ｑｕａｌｉｔｙ  Ｉｎｄｉｃａｔｏｒ）、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）をそれぞれ計算し、フィードバック情報として、上りリンクのチャネル２００４を介して基地局装置２００１に報告する。ここで、ＲＩは空間多重数を示す指標（好適な空間多重数を指定するランク指標）であり、ＰＭＩは好適なプレコーディング行列を示す指標（好適なプレコーダを指定するプレコーダ情報）であり、ＣＱＩは所定の通信品質を保持するための伝送レートを示す指標（好適な伝送レートを指定する受信品質指標）である。非特許文献１では、そのフィードバック情報を周期的に報告するフィードバックモードに関して記載されている。
【０００５】
一方、効率的に広帯域伝送を実現するため、連続および／または不連続な複数の周波数帯域（以下、「コンポーネントキャリア（ＣＣ：Ｃｏｍｐｏｎｅｎｔ  Ｃａｒｒｉｅｒ）」または「キャリアコンポーネント（ＣＣ：Ｃａｒｒｉｅｒ  Ｃｏｍｐｏｎｅｎｔ）」と呼称する）が複合的に使用され、１つの広帯域な周波数帯域として運用される（周波数帯域集約：Ｃａｒｒｉｅｒ  ａｇｇｒｅｇａｔｉｏｎと呼称される）。さらに、下りリンクの通信に使用される周波数帯域と上りリンクの通信に使用される周波数帯域を異なる周波数帯域幅とする（非対称周波数帯域集約：Ａｓｙｍｍｅｔｒｉｃ  ｃａｒｒｉｅｒ  ａｇｇｒｅｇａｔｉｏｎ）ことにより、基地局装置２００１と端末装置２００２が、広帯域な周波数帯域をより柔軟に使用して通信することができる。このような通信方法が非特許文献２に示されている。
【０００６】
図２１は、従来の技術における周波数帯域集約された移動通信システムを説明する図である。特に、図２１では、その一例として、非対称周波数帯域集約された移動通信システムを示している。図２１に示すように、基地局装置２００１と端末装置２００２は、連続および／または不連続な周波数帯域である複数のコンポーネントキャリアを複合的に使用することによって、複数のコンポーネントキャリアによって構成される広帯域な周波数帯域で通信を行うことができる。
【０００７】
図２１では、例として、１００ＭＨｚの帯域幅を持った下りリンクの通信に使用される周波数帯域（以下、ＤＬシステム帯域、ＤＬシステム帯域幅とも呼称する）が、２０ＭＨｚの帯域幅を持った５つの下りリンクコンポーネントキャリア（ＤＣＣ１：Ｄｏｗｎｌｉｎｋ  Ｃｏｍｐｏｎｅｎｔ  Ｃａｒｒｉｅｒ１、ＤＣＣ２、ＤＣＣ３、ＤＣＣ４、ＤＣＣ５）によって構成されていることを示している。また、例として、４０ＭＨｚの帯域幅を持った上りリンクの通信に使用される周波数帯域（以下、ＵＬシステム帯域、ＵＬシステム帯域幅とも呼称する）が、２０ＭＨｚの帯域幅を持った２つの上りリンクコンポーネントキャリア（ＵＣＣ１：Ｕｐｌｉｎｋ  Ｃｏｍｐｏｎｅｎｔ  Ｃａｒｒｉｅｒ１、ＵＣＣ２）によって構成されていることを示している。
【０００８】
図２１において、下りリンクコンポーネントキャリアのそれぞれには、物理下りリンク制御チャネル（以下、ＰＤＣＣＨ：Ｐｈｙｓｉｃａｌ  Ｄｏｗｎｌｉｎｋ  Ｃｏｎｔｒｏｌ  Ｃｈａｎｎｅｌ）、物理下りリンク共用チャネル（以下、ＰＤＳＣＨ：Ｐｈｙｓｉｃａｌ  Ｄｏｗｎｌｉｎｋ  Ｓｈａｒｅｄ  Ｃｈａｎｎｅｌ）等の下りリンクの物理チャネルが配置される。基地局装置２００１は、ＰＤＳＣＨを送信するための下りリンク制御情報（ＤＣＩ：Ｄｏｗｎｌｉｎｋ  Ｃｏｎｔｒｏｌ  Ｉｎｆｏｒｍａｔｉｏｎ）を、ＰＤＣＣＨを使用して端末装置２００２へ割り当て、ＰＤＳＣＨを端末装置２００２へ送信する。すなわち、図２１において、基地局装置２００１は、同一サブフレームで、最大５つまでのＰＤＳＣＨ（下りリンクトランスポートブロックでも良い）を端末装置２００２へ送信することができる。
【０００９】
また、上りリンクコンポーネントキャリアのそれぞれには、物理上りリンク制御チャネル（以下、ＰＵＣＣＨ：Ｐｈｙｓｉｃａｌ  Ｕｐｌｉｎｋ  Ｃｏｎｔｒｏｌ  Ｃｈａｎｎｅｌ）、物理上りリンク共用チャネル（以下、ＰＵＳＣＨ：Ｐｈｙｓｉｃａｌ  Ｕｐｌｉｎｋ  Ｓｈａｒｅｄ  Ｃｈａｎｎｅｌ）等の上りリンクの物理チャネルが配置される。端末装置２００２は、ＰＵＣＣＨおよび／またはＰＵＳＣＨを使用して、上りリンク制御情報（ＵＣＩ：Ｕｐｌｉｎｋ  Ｃｏｎｔｒｏｌ  Ｉｎｆｏｒｍａｔｉｏｎ）を基地局装置２００１へ送信する。また、図２１において、端末装置２００２は、同一サブフレームで、最大５つまでのＰＵＳＣＨ（上りリンクトランスポートブロックでも良い）を基地局装置２００１へ送信することができる。
【先行技術文献】
【非特許文献】
【００１０】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｌａｙｅｒ  ｐｒｏｃｅｄｕｒｅｓ  （Ｒｅｌｅａｓｅ  ８）、２００８年１２月、３ＧＰＰ  ＴＳ  ３６．２１３  Ｖ８．８．０  （２００９−９）．
【非特許文献２】“Ｃａｒｒｉｅｒ  ａｇｇｒｅｇａｔｉｏｎ  ｉｎ  ＬＴＥ−Ａｄｖａｎｃｅｄ”，３ＧＰＰ  ＴＳＧ  ＲＡＮ  ＷＧ１  Ｍｅｅｔｉｎｇ  ＃５３ｂｉｓ，Ｒ１−０８２４６４，Ｊｕｎｅ  ３０−Ｊｕｌｙ  ４，２００８．
【発明の概要】
【発明が解決しようとする課題】
【００１１】
しかしながら、従来の通信方式では、一つのコンポーネントキャリアに対するフィードバック情報しか報告できないため、周波数帯域集約することができる通信システムにおいて、適切なＭＣＳ、空間多重数、プレコーダの指定および適用が困難であり、伝送効率の向上を妨げる要因となっていた。
【００１２】
本発明は、上記問題を鑑みてなされたものであり、その目的は、周波数帯域集約することができる通信システムにおいて、効率的に適切なＭＣＳ、空間多重数、プレコーダの指定および適用を行なうことができる端末装置、基地局装置、通信システムおよび通信方法を提供することにある。
【課題を解決するための手段】
【００１３】
（１）この発明は上述した課題を解決するためになされたもので、本発明の一態様による端末装置は、複数のコンポーネントキャリアを集約できる通信システムにおける基地局装置と通信を行う端末装置であって、前記コンポーネントキャリア毎の周波数帯域幅における好適な伝送レートを指定する受信品質指標を周期的に報告するためのフィードバック周期を前記コンポーネントキャリアの各々で同じになるように設定し、前記フィードバック周期を用いて前記基地局装置に報告することを特徴とする。
【００１４】
（２）また、本発明の一態様による端末装置は上記の端末装置であって、前記フィードバック周期は、前記コンポーネントキャリアのいずれかにおける周波数帯域幅に基づいて設定されることを特徴とする。
【００１５】
（３）また、本発明の一態様による端末装置は上記の端末装置であって、前記フィードバック周期は、周波数帯域幅が最も大きい前記コンポーネントキャリアにおける前記周波数帯域幅に基づいて設定されることを特徴とする。
【００１６】
（４）また、本発明の一態様による端末装置は上記の端末装置であって、前記フィードバック周期は、周波数帯域幅が最も小さい前記コンポーネントキャリアにおける前記周波数帯域幅に基づいて設定されることを特徴とする。
【００１７】
（５）また、本発明の一態様による端末装置は上記の端末装置であって、前記フィードバック周期は、前記基地局装置が前記コンポーネントキャリアの中から指定するプライマリーコンポーネントキャリアにおける前記周波数帯域幅に基づいて設定されることを特徴とする。
【００１８】
（６）また、本発明の一態様による端末装置は上記の端末装置であって、前記フィードバック周期は、前記コンポーネントキャリアの全てにおける周波数帯域幅に基づいて設定されることを特徴とする。
【００１９】
（７）また、本発明の一態様による端末装置は上記の端末装置であって、前記コンポーネントキャリア毎の周波数帯域幅における好適な伝送レートを指定する受信品質指標は、前記コンポーネントキャリア毎に巡回的に報告されることを特徴とする。
【００２０】
（８）また、本発明の一態様による端末装置は上記の端末装置であって、前記コンポーネントキャリア毎の周波数帯域幅における好適な伝送レートを指定する受信品質指標は、前記コンポーネントキャリアの全てで同じフィードバック周期によって、巡回的に報告されることを特徴とする。
【００２１】
（９）また、本発明の一態様による端末装置は上記の端末装置であって、前記コンポーネントキャリア毎の周波数帯域幅における好適な伝送レートを指定する受信品質指標は、前記コンポーネントキャリア毎に固有のフィードバック周期によって、巡回的に報告されることを特徴とする。
【００２２】
（１０）また、本発明の一態様による基地局装置は、複数のコンポーネントキャリアを集約できる通信システムにおける端末装置と通信を行う基地局装置であって、前記コンポーネントキャリア毎の周波数帯域幅における好適な伝送レートを指定する受信品質指標を周期的に報告するためのフィードバック周期を前記コンポーネントキャリアの各々で同じになるように設定し、前記フィードバック周期を用いて前記基地局装置に報告させるための制御情報を前記端末装置に通知することを特徴とする。
【００２３】
（１１）また、本発明の一態様による基地局装置は上記の基地局装置であって、前記フィードバック周期は、前記コンポーネントキャリアのいずれかにおける周波数帯域幅に基づいて設定されることを特徴とする。
【００２４】
（１２）また、本発明の一態様による基地局装置は上記の基地局装置であって、前記フィードバック周期は、前記コンポーネントキャリアの全てにおける周波数帯域幅に基づいて設定されることを特徴とする。
【００２５】
（１３）また、本発明の一態様による通信システムは、複数のコンポーネントキャリアを集約できる基地局装置と端末装置との間で通信を行う通信システムであって、前記基地局装置は、前記コンポーネントキャリア毎の周波数帯域幅における好適な伝送レートを指定する受信品質指標を周期的に報告するためのフィードバック周期を前記コンポーネントキャリアの各々で同じになるように設定し、前記フィードバック周期を用いて前記基地局装置に報告させるための制御情報を前記端末装置に通知し、前記端末装置は、前記基地局装置から通知された前記制御情報に基づいて、前記コンポーネントキャリア毎の前記周波数帯域幅における好適な伝送レートを指定する受信品質指標を周期的に前記基地局装置に報告することを特徴とする。
【００２６】
（１４）また、本発明の一態様による通信システムは上記の通信システムであって、前記フィードバック周期は、前記コンポーネントキャリアのいずれかにおける周波数帯域幅に基づいて設定されることを特徴とする。
【００２７】
（１５）また、本発明の一態様による通信システムは上記の通信システムであって、前記フィードバック周期は、前記コンポーネントキャリアの全てにおける周波数帯域幅に基づいて設定されることを特徴とする。
【００２８】
（１６）また、本発明の一態様による通信方法は、複数のコンポーネントキャリアを集約できる通信システムにおける基地局装置と通信を行う端末装置の通信方法であって、前記コンポーネントキャリア毎の周波数帯域幅における好適な伝送レートを指定する受信品質指標を周期的に報告するためのフィードバック周期を前記コンポーネントキャリアの各々で同じになるように設定し、前記フィードバック周期を用いて前記基地局装置に報告するステップを有することを特徴とする。
【００２９】
（１７）また、本発明の一態様による通信方法は、複数のコンポーネントキャリアを集約できる通信システムにおける端末装置と通信を行う基地局装置の通信方法であって、前記コンポーネントキャリア毎の周波数帯域幅における好適な伝送レートを指定する受信品質指標を周期的に報告するためのフィードバック周期を前記コンポーネントキャリアの各々で同じになるように設定し、前記フィードバック周期を用いて前記基地局装置に報告させるための制御情報を前記端末装置に通知するステップを有することを特徴とする。
【発明の効果】
【００３０】
この発明によれば、効率的に適切なＭＣＳ、空間多重数、プレコーダの指定および適用を行なうことができる。
【図面の簡単な説明】
【００３１】
【図１】本発明の第１の実施形態における通信システムの構成を示す概略構成図である。
【図２】本実施形態に係る下りリンクの無線フレーム構成の一例を示す図である。
【図３】本実施形態に係る上りリンクの無線フレーム構成の一例を示す図である。
【図４】本実施形態に係るサブバンド構成の一例を示す図である。
【図５】本実施形態に係る下りリンクにおける周波数帯域集約の一例を示す図である。
【図６】本実施形態に係るフィードバック情報の報告手順の一例を示す図である。
【図７】本実施形態に係るフィードバック周期の一例を示す図である。
【図８】本実施形態に係るフィードバック情報の報告手順の一例を示す図である。
【図９】本実施形態に係るフィードバック情報の報告手順の一例を示す図である。
【図１０】本実施形態に係るフィードバック情報の報告手順の一例を示す図である。
【図１１】本実施形態に係る部分プレコーダ情報のコードブックの一例である。
【図１２】本実施形態に係るコードブックの一例である。
【図１３】本実施形態に係るプレコーディング処理の概念図である。
【図１４】ＰＩを測定するためのＲＳの一例を示す図である。
【図１５】本実施形態に係るフィードバック情報の報告手順の一例を示す図である。
【図１６】本実施形態に係るフィードバック周期の一例を示す図である。
【図１７】本実施形態に係るフィードバック情報の報告手順の一例を示す図である。
【図１８】本実施形態に係る基地局装置の構成の一例を示す概略図である。
【図１９】本実施形態に係る端末装置（受信装置）の構成の一例を示す概略図である。
【図２０】従来の技術におけるフィードバック情報を用いた適応制御を行う基地局と端末装置を示す図である。
【図２１】従来の技術における周波数帯域集約された移動通信システムを説明する図である。
【発明を実施するための形態】
【００３２】
（第１の実施形態）
以下、図面を参照して、本発明の第１の実施形態について説明する。
【００３３】
図１は本発明の第１の実施形態における通信システムの構成を示す概略構成図である。図１の通信システムはＬＴＥ−Ａシステムを想定しており、セルを構成する基地局装置（基地局、送信局、下りリンク送信装置、上りリンク受信装置、ｅＮｏｄｅＢ）１０１と端末装置（移動局、受信局、上りリンク送信装置、下りリンク受信装置、移動端末、ＵＥ；Ｕｓｅｒ  Ｅｑｕｉｐｍｅｎｔ）１０２とを含んで構成される。また、図１の通信システムは、複数のＤＣＣにより周波数帯域集約された通信システムである。送信される下りリンク送信信号１０３に対してＭＣＳ、空間多重数、プレコーダを適応的に制御するに際し、端末装置は基地局装置１０１から送信される下りリンク送信信号１０３に含まれる下りリンク参照信号（ＲＳ：Ｒｅｆｅｒｅｎｃｅ  Ｓｉｇｎａｌ）をＤＣＣ毎に参照して、好適なＭＣＳに関する情報、好適な空間多重数に関する情報、好適なプレコーダ（Ｐｒｅｆｅｒｒｅｄ  Ｐｒｅｃｏｄｅｒ）を指定する複数の部分プレコーダ情報を計算し、ＤＣＣ毎のフィードバック情報を生成する。端末装置は、上りリンクのチャネル１０４を介して、それぞれ周期的に基地局装置１０１に報告する。ここでは、部分プレコーダ情報ＰＩ（Ｐｒｅｃｏｄｅｒ  Ｉｎｆｏｒｍａｔｉｏｎ）として、部分プレコーダ情報１（ＰＩ１）および部分プレコーダ情報２（ＰＩ２）を報告する場合について説明する。好適なプレコーダとしては、例えば、下りリンクの伝搬路を考慮した上で、下りリンクの受信信号電力が大きくなるようなプレコーダを算出するという方法などを用いることができる。部分プレコーダ情報ＰＩについての詳細は後述する。
【００３４】
図２は、本実施形態に係る下りリンクの無線フレーム構成の一例を示している。下りリンクはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）アクセス方式が用いられる。下りリンクでは、物理下りリンク制御チャネル（ＰＤＣＣＨ）、物理下りリンク共用チャネル（ＰＤＳＣＨ）などが割り当てられる。また、ＰＤＳＣＨの一部に下りリンク参照信号（ＲＳ）が多重される。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成され、時間領域において７個のＯＦＤＭシンボルから構成される。物理下りリンク制御チャネルは、端末装置識別子、下りリンク共用チャネルのスケジューリング情報、上りリンク共用チャネルのスケジューリング情報、変調方式、符号化率、再送パラメータなどの下りリンク制御情報が送信される物理チャネルである。
【００３５】
図３は、本実施形態に係る上りリンクの無線フレーム構成の一例を示している。上りリンクはＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式が用いられる。上りリンクでは、物理上りリンク共用チャネル（ＰＵＳＣＨ）、物理上りリンク制御チャネル（ＰＵＣＣＨ）などが割り当てられる。また、ＰＵＳＣＨやＰＵＣＣＨの一部に、上りリンク参照信号が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成され、時間領域において７個のＳＣ−ＦＤＭＡシンボルから構成される。
【００３６】
図４は、本実施形態に係るサブバンド構成の一例を示している。複数の隣接するＲＢの帯域幅をまとめてサブバンドを構成し、複数のサブバンドをまとめてＢＰ（Ｂａｎｄｗｉｄｔｈ  Ｐａｒｔ、部分帯域幅、部分周波数帯域幅）を構成する。図４に示した構成図では、下りリンク帯域幅にＳ個のサブバンドおよびＪ個のＢＰが配置される。
【００３７】
図５は、本実施形態に係る下りリンクにおける周波数帯域集約の一例を示している。以下では、ＢＰ数はＪ１であるＤＣＣ１およびＢＰ数はＪ２であるＤＣＣ２を含む２つのＤＣＣにより周波数帯域集約される場合を説明する。端末装置１０２は、基地局装置１０１に対して、ＤＣＣ１およびＤＣＣ２におけるフィードバック情報を、周期的に報告（フィードバック）する。ここで、端末装置１０２は、フィードバック情報として、ＲＩ、ＰＩ１、ＰＩ２、Ｗ−ＣＱＩ（Ｗｉｄｅｂａｎｄ−ＣＱＩ）、Ｓ−ＣＱＩ（Ｓｕｂｂａｎｄ−ＣＱＩ）を報告する。このとき、ＲＩおよびＰＩ１、ＰＩ２およびＷ−ＣＱＩはそれぞれ同時に送信されるが、同時に送信されるそれぞれの情報は、独立のフィードバック情報としてもよいし、ジョイントコーディングによりそれぞれの情報を示すインデックスをフィードバック情報としてもよい。また、Ｗ−ＣＱＩは下りリンク帯域幅におけるＣＱＩである。Ｓ−ＣＱＩは各ＢＰを代表するＣＱＩであるため、ＢＰ毎に報告される。例えば、Ｓ−ＣＱＩは、各サブバンドにおけるＷ−ＣＱＩに対する差分のＣＱＩであり、端末装置１０２が各ＢＰで好適なＣＱＩとなるサブバンドを選択する。そのため、Ｓ−ＣＱＩを報告する回数（リソース）は、ＤＣＣにおけるＢＰ数で決定されることになる。ここで、本実施形態では、端末装置１０２がフィードバック情報を報告するためのＰＵＣＣＨリソース（フィードバックリソース）は、報告するＤＣＣの全てで同じ大きさにする。すなわち、報告するＤＣＣ間でＢＰ数が異なる場合でも、ＤＣＣ毎のフィードバックリソースを同じ大きさにする。
【００３８】
図６は、本実施形態に係るフィードバック情報の報告手順（プロシージャ）の一例を示している。図６における報告手順では、全てのＤＣＣの各々におけるフィードバックリソース数が、報告するＤＣＣの中で最も大きいフィードバックリソース数である場合を説明する。すなわち、全てのＤＣＣの各々におけるフィードバックリソース数は、下りリンク帯域幅が最大となるＤＣＣにおけるフィードバックリソース数となる。また、ＤＣＣ１におけるＢＰ数Ｊ１が４であり、ＤＣＣ２におけるＢＰ数Ｊ２が３である場合を説明する。すなわち、各ＤＣＣにおけるフィードバックリソース数は、ＢＰ数が４の場合に基づいた大きさとなる。
【００３９】
まず、基地局装置１０１はＲＲＣ（Ｒａｄｉｏ  Ｒｅｓｏｕｒｃｅ  Ｃｏｎｔｒｏｌ）シグナリングを介して、端末装置１０２におけるフィードバックのパラメータを設定し、周期的なフィードバックを指示する（ステップＳ６０１）。周期的なフィードバックを指示された端末装置１０２は、まずＤＣＣ１におけるフィードバック情報を報告する。端末装置１０２は、設定されたフィードバックのパラメータに従いＤＣＣ１におけるＲＩおよびＰＩ１（ステップＳ６０２）、ＤＣＣ１におけるＰＩ２およびＷ−ＣＱＩ（ステップＳ６０３）をそれぞれ周期的に基地局装置１０１に報告する。さらに端末装置１０２は、ＤＣＣ１におけるＳ−ＣＱＩを周期的に報告する（ステップＳ６０４〜ステップＳ６０７）。具体的には、端末装置１０２は、ＤＣＣ１における１番目のＢＰを代表するＳ−ＣＱＩ１（ステップＳ６０４）、ＤＣＣ１における２番目のＢＰを代表するＳ−ＣＱＩ２（ステップＳ６０５）、ＤＣＣ１における３番目のＢＰを代表するＳ−ＣＱＩ３（ステップＳ６０６）、ＤＣＣ１における４番目のＢＰを代表するＳ−ＣＱＩ４（ステップＳ６０７）をそれぞれ報告する。ステップＳ６０４〜ステップＳ６０７で示されたＳ−ＣＱＩの報告は、ステップＳ６０３におけるＷ−ＣＱＩの報告と後述するステップＳ６０９におけるＷ−ＣＱＩの報告との合間にＫ回（サイクル）繰り返して周期的に行われる。すなわち、ＤＣＣ１におけるＳ−ＣＱＩの報告は、Ｊ１・Ｋ（＝Ｈ１−１）回周期的に行われる。ただし、Ｈ１は所定の値であり、Ｈ１＝Ｊ１・Ｋ＋１で表される。また、図６に示す例では、Ｋ＝１の場合を示している。
【００４０】
さらに端末装置１０２は、ＤＣＣ２におけるフィードバック情報を報告する。端末装置１０２は、設定されたフィードバックのパラメータに従いＤＣＣ２におけるＲＩおよびＰＩ１（ステップＳ６０８）、ＤＣＣ２におけるＰＩ２およびＷ−ＣＱＩ（ステップＳ６０９）をそれぞれ周期的に基地局装置１０１に報告する。さらに端末装置１０２は、ＤＣＣ１におけるＳ−ＣＱＩを報告するフィードバックリソースと同じ大きさのフィードバックリソースを用いて、ＤＣＣ２におけるＳ−ＣＱＩを周期的に報告する（ステップＳ６１０〜ステップＳ６１３）。具体的には、端末装置１０２は、ＤＣＣ２における１番目のＢＰを代表するＳ−ＣＱＩ１（ステップＳ６１０）、ＤＣＣ２における２番目のＢＰを代表するＳ−ＣＱＩ２（ステップＳ６１１）、ＤＣＣ２における３番目のＢＰを代表するＳ−ＣＱＩ３（ステップＳ６１２）をそれぞれ報告する。ステップＳ６１３で示される４つ目のＳ−ＣＱＩを報告するタイミングでは、端末装置１０２は何も送信しないか、他の情報を送信する。ステップＳ６１０〜ステップＳ６１３で示されたＳ−ＣＱＩの報告は、ステップＳ６０９におけるＷ−ＣＱＩの報告と後述するステップＳ６０３におけるＷ−ＣＱＩの報告との合間にＫ回（サイクル）繰り返して周期的に行われる。すなわち、ＤＣＣ２におけるＳ−ＣＱＩの報告は、Ｊ１・Ｋ（＝Ｈ１−１）回分のフィードバックリソースを用いて、Ｊ２・Ｋ（＝Ｈ２−１）回周期的に行われる。ただし、Ｈ２は所定の値であり、Ｈ２＝Ｊ２・Ｋ＋１で表される。また、図６に示す例では、Ｋ＝１の場合を示している。以降、ステップＳ６０２〜ステップＳ６１３で示される報告または処理は繰り返して周期的に行われる。
【００４１】
ここで、図６における縦軸の間隔は時間の大きさを表わしてはいるものではなく、各フィードバック情報の報告は図６で示される順序に限定されるものではない。具体的には、ＲＩあるいはＰＩ１と、それ以外のフィードバック情報を独立してフィードバック周期を設定することができる。すなわち、Ｗ−ＣＱＩ、ＰＩ２あるいはＳ−ＣＱＩを報告するサブフレームと、ＲＩあるいはＰＩ１を報告するサブフレームとを独立にそれらの周期を設定する場合、それらの報告の順序が入れ替わる場合が生じる。また、Ｗ−ＣＱＩ、ＰＩ２あるいはＳ−ＣＱＩを報告するサブフレームと、ＲＩあるいはＰＩ１を報告するサブフレームとが同じサブフレームになる場合が生じる。この場合、Ｗ−ＣＱＩ、ＰＩ２あるいはＳ−ＣＱＩを報告せずにＲＩあるいはＰＩ１を報告する。また、ステップ６０１におけるＲＲＣシグナリングで、ＲＩあるいはＰＩ１あるいはＰＩ２をフィードバックしないように設定することも可能である。その場合は、端末装置１０２はＣＱＩのみを報告する。
【００４２】
以上のように、各ＤＣＣにおける狭帯域に関するフィードバック情報を報告するために割り当てられたサブフレーム数（ＰＵＣＣＨ数）を、狭帯域に関するフィードバック情報を報告するために割り当てられたサブフレーム数（ＰＵＣＣＨ数）が最も多いＤＣＣでの値に設定する。言い換えれば、各ＤＣＣにおけるＷ−ＣＱＩの報告の周期を、Ｗ−ＣＱＩの報告の周期が最も大きいＤＣＣにおける値に設定する。
【００４３】
このとき、設定されたフィードバックリソースが、Ｓ−ＣＱＩを報告するために必要なリソース数よりも大きいＤＣＣにおいて、図６で説明する報告手順では、設定されたフィードバックリソースの一部を用いて、Ｓ−ＣＱＩを報告する。すなわち、ＤＣＣ２において、Ｊ１回分のリソースの一部を用いて、Ｊ２個のＳ−ＣＱＩを報告する。そのようなフィードバックをさらにＫ回繰り返して行われる。なお、ＤＣＣ２において、Ｊ１・Ｋ回分のリソースを用いて、Ｊ２個のＳ−ＣＱＩをＫ回繰り返して報告してもよい。あるいは、ＤＣＣ２において、Ｈ１−１回分のリソースの一部を用いて、Ｈ２−１個のＳ−ＣＱＩを報告する。なお、以上の説明ではＫ＝１としたが、これに限るものではない。各ＤＣＣに共通のＫ（Ｋは１以上の整数）を用いてもよいし、各ＤＣＣに個別のＫ（例えばＤＣＣ１ではＫ１、ＤＣＣ２ではＫ２など）を用いてもよい。この場合、Ｈ１−１（＝Ｊ１・Ｋ１）とＨ２−１（＝Ｊ２・Ｋ２）とを比較して、大きい方の値を用いてＷ−ＣＱＩの報告の周期を決定すればよい。
【００４４】
図６で示すようなフィードバック情報の報告手順を用いることにより、報告するＤＣＣの全てでフィードバック周期（Ｗ−ＣＱＩの報告の周期）を同じにすることができるため、効率的なフィードバックが実現できる。また、図６で示すような方法は、ＤＣＣ毎に独立にフィードバックする場合に比べて、整合性を容易に取りながら、フィードバックを行うための制御情報のオーバーヘッドを削減させることができる。さらに、１つの端末において一定のフィードバック周期を設定することができ、端末間でのリソースの競合が生じにくくなり、スケジューリングの自由度が向上する。
【００４５】
図７は、本実施形態に係るフィードバック周期の一例を示す図である。図７では、図６で説明したフィードバック情報の報告手順におけるフィードバック周期について説明する。また、図７の横軸は時間を示している。それぞれのＤＣＣにおけるＷ−ＣＱＩおよびＰＩ２は、Ｈ’・ＮＰサブフレームの周期で、基準となるサブフレームからＮＯＦＦＳＥＴ、ＣＱＩだけシフトしたサブフレームで巡回的に報告される。また、それぞれのＤＣＣにおけるＲＩおよびＰＩ１は、Ｗ−ＣＱＩおよびＷ−ＰＭＩの周期のＭＲＩ倍であるＨ’・ＮＰ・ＭＲＩの周期で、基準となるサブフレームからＮＯＦＦＳＥＴ、ＣＱＩ＋ＮＯＦＦＳＥＴ、ＲＩだけシフトしたサブフレーム、すなわちＷ−ＣＱＩおよびＷ−ＰＭＩからさらにＮＯＦＦＳＥＴ、ＲＩだけシフトしたサブフレームで巡回的に報告される。ここで、図７で示す例では、全てのＤＣＣにおけるフィードバックリソースが、報告するＤＣＣの中で最も大きいフィードバックリソースである場合を説明しているため、Ｈ’はＨ１となる。さらに、Ｓ−ＣＱＩは、Ｗ−ＣＱＩの報告周期であるＨ’・ＮＰサブフレームの期間で報告される。すなわち、それぞれのＤＣＣにおけるＳ−ＣＱＩは、Ｈ１・ＮＰ（＝（Ｊ１・Ｋ＋１）・ＮＰ）サブフレームの期間で報告される。ＤＣＣ１におけるＳ−ＣＱＩは、Ｈ１・ＮＰサブフレームの期間に、Ｊ１・Ｋ（＝Ｈ１−１）回報告される。また、ＤＣＣ２におけるＳ−ＣＱＩは、Ｈ１・ＮＰサブフレームの期間に、Ｊ２・Ｋ（＝Ｈ２−１）回報告されるが、図６でも説明したように、Ｋ回繰り返して報告する際の各繰返しにおいて、（Ｊ１−Ｊ２）回は何も送らないか、他の情報を送信する。ここで、Ｊ１・Ｋ回およびＪ２・Ｋ回報告されるＳ−ＣＱＩのそれぞれは、ＢＰを代表するＣＱＩである。Ｊ１個およびＪ２個のＢＰにおけるＣＱＩを、ＤＣＣ毎に周波数の低いＢＰにおけるＣＱＩから順次報告し、下りリンク帯域幅を網羅するようにＪ１回およびＪ２回の報告が行われる。さらに、Ｊ１回およびＪ２回の報告をそれぞれＫサイクル繰り返すことにより、Ｈ’・ＮＰサブフレームの期間にＪ１・Ｋ回およびＪ２・Ｋ回の報告が行われる。あるいは、ＤＣＣ２におけるＳ−ＣＱＩは、Ｈ１−１個のサブフレームのうち、Ｈ２−１個のサブフレーム（例えばＨ１−１個のサブフレームのうち最初のＨ２−１個のサブフレーム）を用いて報告し、残りの（Ｈ１−Ｈ２）のサブフレームでは何も送らないか、他の情報を送信する。以上のように、ｍ個のＤＣＣにおけるフィードバック情報が、ｍ・Ｈ’・ＮＰ・ＭＲＩの周期で行われる。
【００４６】
また、他の観点から図７について説明すると、各ＤＣＣにおけるＷ−ＣＱＩは、ｍ・Ｈ’・ＮＰの周期で報告される。さらに、各ＤＣＣにおけるＳ−ＣＱＩは、各ＤＣＣにおけるＷ−ＣＱＩを報告した後にＮＰの周期でＪｘ・Ｋ回（ＸはＤＣＣの番号）報告される。
【００４７】
図８は、本実施形態に係るフィードバック情報の報告手順の一例を示している。図８における報告手順では、全てのＤＣＣの各々におけるフィードバックリソース数が、報告するＤＣＣの中で最も大きいフィードバックリソース数である場合を説明する。すなわち、全てのＤＣＣの各々におけるフィードバックリソース数は、下りリンク帯域幅が最大となるＤＣＣにおけるフィードバックリソース数となる。また、ＤＣＣ１におけるＢＰ数Ｊ１が４であり、ＤＣＣ２におけるＢＰ数Ｊ２が３である場合を説明する。すなわち、各ＤＣＣにおけるフィードバックリソースは、ＢＰ数が４の場合に基づいた大きさとなる。
【００４８】
まず、基地局装置１０１はＲＲＣ（Ｒａｄｉｏ  Ｒｅｓｏｕｒｃｅ  Ｃｏｎｔｒｏｌ）シグナリングを介して、端末装置１０２におけるフィードバックのパラメータを設定し、周期的なフィードバックを指示する（ステップＳ８０１）。周期的なフィードバックを指示された端末装置１０２は、まずＤＣＣ１におけるフィードバック情報を報告する。端末装置１０２は、設定されたフィードバックのパラメータに従いＤＣＣ１におけるＲＩおよびＰＩ１（ステップＳ８０２）、ＤＣＣ１におけるＰＩ２およびＷ−ＣＱＩ（ステップＳ８０３）をそれぞれ周期的に基地局装置１０１に報告する。さらに端末装置１０２は、ＤＣＣ１におけるＳ−ＣＱＩを周期的に報告する（ステップＳ８０４〜ステップＳ８０７）。具体的には、端末装置１０２は、ＤＣＣ１における１番目のＢＰを代表するＳ−ＣＱＩ１（ステップＳ８０４）、ＤＣＣ１における２番目のＢＰを代表するＳ−ＣＱＩ２（ステップＳ８０５）、ＤＣＣ１における３番目のＢＰを代表するＳ−ＣＱＩ３（ステップＳ８０６）、ＤＣＣ１における４番目のＢＰを代表するＳ−ＣＱＩ４（ステップＳ８０７）をそれぞれ報告する。ステップＳ８０４〜ステップＳ８０７で示されたＳ−ＣＱＩの報告は、ステップＳ８０３におけるＷ−ＣＱＩの報告と後述するステップＳ８０９におけるＷ−ＣＱＩの報告との合間にＫ回（サイクル）繰り返して周期的に行われる。すなわち、ＤＣＣ１におけるＳ−ＣＱＩの報告は、Ｊ１・Ｋ（＝Ｈ１−１）回周期的に行われる。また、図８に示す例では、Ｋ＝１の場合を示している。
【００４９】
さらに端末装置１０２は、ＤＣＣ２におけるフィードバック情報を報告する。端末装置１０２は、設定されたフィードバックのパラメータに従いＤＣＣ２におけるＲＩおよびＰＩ１（ステップＳ８０８）、ＤＣＣ２におけるＰＩ２およびＷ−ＣＱＩ（ステップＳ８０９）をそれぞれ周期的に基地局装置１０１に報告する。さらに端末装置１０２は、ＤＣＣ１におけるＳ−ＣＱＩを報告するフィードバックリソースと同じ大きさのフィードバックリソースを用いて、ＤＣＣ２におけるＳ−ＣＱＩを周期的に報告する（ステップＳ８１０〜ステップＳ８１３）。具体的には、端末装置１０２は、ＤＣＣ２における１番目のＢＰを代表するＳ−ＣＱＩ１（ステップＳ８１０）、ＤＣＣ２における２番目のＢＰを代表するＳ−ＣＱＩ２（ステップＳ８１１）、ＤＣＣ２における３番目のＢＰを代表するＳ−ＣＱＩ３（ステップＳ８１２）をそれぞれ報告する。ステップＳ８１３で示される４つ目のＳ−ＣＱＩを報告するタイミングでは、端末装置１０２はステップＳ８１０で報告したＳ−ＣＱＩ１と同じＢＰにおけるＳ−ＣＱＩを報告する。ステップＳ８１０〜ステップＳ８１３で示されたＳ−ＣＱＩの報告は、ステップＳ８０９におけるＷ−ＣＱＩの報告とステップＳ８０３におけるＷ−ＣＱＩの報告との合間にＫ回（サイクル）繰り返して周期的に行われる。すなわち、ＤＣＣ２におけるＳ−ＣＱＩの報告は、Ｊ１・Ｋ（＝Ｈ１−１）回分のフィードバックリソースを用いて、Ｊ２・Ｋ（＝Ｈ２−１）回周期的に行われる。また、図８に示す例では、Ｋ＝１の場合を示している。あるいは、ＤＣＣ２において、Ｈ１−１回分のリソースの一部（例えばＨ１−１個のサブフレームのうち最初のＨ２−１個のサブフレーム）を用いて、Ｈ２−１個のＳ−ＣＱＩを報告する。さらに、残りの（Ｈ１−Ｈ２）のサブフレームでは先に報告したＳ−ＣＱＩと同じＢＰにおけるＳ−ＣＱＩを送信する。例えば、ＤＣＣ２において、周波数の低い方からＪ２個のＢＰにおけるＳ−ＣＱＩを順次報告し、これをｆｌｏｏｒ（（Ｈ１−１）／Ｊ２）サイクル繰り返す。さらに、残りの（Ｊ１・Ｋ−Ｊ２・ｆｌｏｏｒ（（Ｈ１−１）／Ｊ２））個のサブフレームでは、周波数の低い方から（Ｊ１・Ｋ−Ｊ２・ｆｌｏｏｒ（（Ｈ１−１）／Ｊ２））個のＢＰにおけるＳ−ＣＱＩを順次報告する。ここで、ｆｌｏｏｒ（）は床関数である。以降、ステップＳ８０２〜ステップＳ８１３で示される報告は繰り返して周期的に行われる。
【００５０】
ここで、図８における縦軸の間隔は時間の大きさを表わしてはいるものではなく、各フィードバック情報の報告は図８で示される順序に限定されるものではない。具体的には、ＲＩあるいはＰＩ１と、それ以外のフィードバック情報を独立してフィードバック周期を設定することができる。すなわち、Ｗ−ＣＱＩ、ＰＩ２あるいはＳ−ＣＱＩを報告するサブフレームと、ＲＩあるいはＰＩ１を報告するサブフレームとを独立にそれらの周期を設定する場合、それらの報告の順序が入れ替わる場合が生じる。また、Ｗ−ＣＱＩ、ＰＩ２あるいはＳ−ＣＱＩを報告するサブフレームと、ＲＩあるいはＰＩ１を報告するサブフレームとが同じサブフレームになる場合が生じる。この場合、Ｗ−ＣＱＩ、ＰＩ２あるいはＳ−ＣＱＩを報告せずにＲＩあるいはＰＩ１を報告する。また、ステップ６０１におけるＲＲＣシグナリングで、ＲＩあるいはＰＩ１あるいはＰＩ２をフィードバックしないように設定することも可能である。その場合は、端末装置１０２はＣＱＩのみを報告する。
【００５１】
以上のように、設定されたフィードバックリソース数が、Ｓ−ＣＱＩを報告するために必要なリソース数よりも大きいＤＣＣにおいて、図８で説明する報告手順では、設定されたフィードバックリソースを用いて、繰り返してＳ−ＣＱＩを報告する。すなわち、ＤＣＣ２において、Ｊ１回分のリソースを用いて、Ｊ２個のＳ−ＣＱＩを繰り返して報告する。そのようなフィードバックをさらにＫ回繰り返して行われる。なお、ＤＣＣ２において、Ｊ１・Ｋ回分のリソースを用いて、Ｊ２個のＳ−ＣＱＩを繰り返して報告してもよい。
【００５２】
図８で示すようなフィードバック情報の報告手順を用いることにより、報告するＤＣＣの全てでフィードバック周期（Ｗ−ＣＱＩの報告の周期）を同じにする、あるいは報告するＤＣＣの全てでＳ−ＣＱＩの報告に用いるサブフレーム数を同じにすることができるため、効率的なフィードバックが実現できる。また、図８で示すような方法は、ＤＣＣ毎に独立にフィードバックする場合に比べて、整合性を容易に取りながら、フィードバックを行うための制御情報のオーバーヘッドを削減させることができる。また、設定されたフィードバックリソースを全て用いることができるため、効果的な適応制御が実現できる。
【００５３】
図９は、本実施形態に係るフィードバック情報の報告手順の一例を示している。図９における報告手順では、全てのＤＣＣの各々におけるフィードバックリソース数が、報告するＤＣＣの中で最も小さいフィードバックリソース数である場合を説明する。すなわち、全てのＤＣＣの各々におけるフィードバックリソース数は、下りリンク帯域幅が最小となるＤＣＣにおけるフィードバックリソース数となる。また、ＤＣＣ１におけるＢＰ数Ｊ１が４であり、ＤＣＣ２におけるＢＰ数Ｊ２が３である場合を説明する。すなわち、各ＤＣＣにおけるフィードバックリソースは、ＢＰ数が３の場合に基づいた大きさとなる。
【００５４】
まず、基地局装置１０１はＲＲＣ（Ｒａｄｉｏ  Ｒｅｓｏｕｒｃｅ  Ｃｏｎｔｒｏｌ）シグナリングを介して、端末装置１０２におけるフィードバックのパラメータを設定し、周期的なフィードバックを指示する（ステップＳ９０１）。周期的なフィードバックを指示された端末装置１０２は、まずＤＣＣ１におけるフィードバック情報を報告する。端末装置１０２は、設定されたフィードバックのパラメータに従いＤＣＣ１におけるＲＩおよびＰＩ１（ステップＳ９０２）、ＤＣＣ１におけるＰＩ２およびＷ−ＣＱＩ（ステップＳ９０３）をそれぞれ周期的に基地局装置１０１に報告する。さらに端末装置１０２は、ＤＣＣ２におけるＳ−ＣＱＩを報告するフィードバックリソースと同じ大きさのフィードバックリソースを用いて、ＤＣＣ１におけるＳ−ＣＱＩを周期的に報告する（ステップＳ９０４〜ステップＳ９０６）。具体的には、端末装置１０２は、ＤＣＣ１における１番目のＢＰを代表するＳ−ＣＱＩ１（ステップＳ９０４）、ＤＣＣ１における２番目のＢＰを代表するＳ−ＣＱＩ２（ステップＳ９０５）、ＤＣＣ１における３番目のＢＰを代表するＳ−ＣＱＩ３（ステップＳ９０６）をそれぞれ報告する。このとき、端末装置１０２は、ＤＣＣ１における４番目のＢＰを代表するＳ−ＣＱＩ４の報告を省略する。ステップＳ９０４〜ステップＳ９０６で示されたＳ−ＣＱＩの報告は、ステップＳ９０３におけるＷ−ＣＱＩの報告と後述するステップＳ９０８におけるＷ−ＣＱＩの報告との合間にＫ回（サイクル）繰り返して周期的に行われる。すなわち、ＤＣＣ１におけるＳ−ＣＱＩの報告は、Ｊ２・Ｋ（＝Ｈ２−１）回周期的に行われる。あるいは、ＤＣＣ１において、Ｈ２−１回分のリソースを用いて、Ｈ１−１個のＳ−ＣＱＩのうちＨ２−１個を報告する。また、図９に示す例では、Ｋ＝１の場合を示している。
【００５５】
さらに端末装置１０２は、ＤＣＣ２におけるフィードバック情報を報告する。端末装置１０２は、設定されたフィードバックのパラメータに従いＤＣＣ２におけるＲＩおよびＰＩ１（ステップＳ９０７）、ＤＣＣ２におけるＰＩ２およびＷ−ＣＱＩ（ステップＳ９０８）をそれぞれ周期的に基地局装置１０１に報告する。さらに端末装置１０２は、ＤＣＣ２におけるＳ−ＣＱＩを周期的に報告する（ステップＳ９０９〜ステップＳ９１１）。具体的には、端末装置１０２は、ＤＣＣ２における１番目のＢＰを代表するＳ−ＣＱＩ１（ステップＳ９０９）、ＤＣＣ２における２番目のＢＰを代表するＳ−ＣＱＩ２（ステップＳ９１０）、ＤＣＣ２における３番目のＢＰを代表するＳ−ＣＱＩ３（ステップＳ９１１）をそれぞれ報告する。ステップＳ９０９〜ステップＳ９１１で示されたＳ−ＣＱＩの報告は、ステップＳ９０８におけるＷ−ＣＱＩの報告とステップＳ９０３におけるＷ−ＣＱＩの報告との合間にＫ回（サイクル）繰り返して周期的に行われる。すなわち、ＤＣＣ２におけるＳ−ＣＱＩの報告は、Ｊ２・Ｋ（＝Ｈ２−１）回分のフィードバックリソースを用いて、Ｊ２・Ｋ（＝Ｈ２−１）回周期的に行われる。また、図９に示す例では、Ｋ＝１の場合を示している。あるいは、ＤＣＣ１において、Ｈ２−１回分のリソースを用いて、Ｈ１−１個のＳ−ＣＱＩのうちＨ２−１個（例えばＨ１−１個のＳ−ＣＱＩのうち最初のＨ２−１個のＳ−ＣＱＩ）を報告する。例えば、ＤＣＣ１において、周波数の低い方からＪ１個のＢＰにおけるＳ−ＣＱＩを順次報告し、これをｆｌｏｏｒ（（Ｈ２−１）／Ｊ１）サイクル繰り返す。さらに、残りの（Ｊ２・Ｋ−Ｊ１・ｆｌｏｏｒ（（Ｈ２−１）／Ｊ１））個のサブフレームでは、周波数の低い方から（Ｊ２・Ｋ−Ｊ１・ｆｌｏｏｒ（（Ｈ２−１）／Ｊ１））個のＢＰにおけるＳ−ＣＱＩを順次報告する。以降、ステップＳ９０２〜ステップＳ９１１で示される報告は繰り返して周期的に行われる。
【００５６】
ここで、図９における縦軸の間隔は時間の大きさを表わしてはいるものではなく、各フィードバック情報の報告は図９で示される順序に限定されるものではない。具体的には、ＲＩあるいはＰＩ１と、それ以外のフィードバック情報を独立してフィードバック周期を設定することができる。すなわち、Ｗ−ＣＱＩ、ＰＩ２あるいはＳ−ＣＱＩを報告するサブフレームと、ＲＩあるいはＰＩ１を報告するサブフレームとを独立にそれらの周期を設定する場合、それらの報告の順序が入れ替わる場合が生じる。また、Ｗ−ＣＱＩ、ＰＩ２あるいはＳ−ＣＱＩを報告するサブフレームと、ＲＩあるいはＰＩ１を報告するサブフレームとが同じサブフレームになる場合が生じる。この場合、Ｗ−ＣＱＩ、ＰＩ２あるいはＳ−ＣＱＩを報告せずにＲＩあるいはＰＩ１を報告する。また、ステップ６０１におけるＲＲＣシグナリングで、ＲＩあるいはＰＩ１あるいはＰＩ２をフィードバックしないように設定することも可能である。その場合は、端末装置１０２はＣＱＩのみを報告する。
【００５７】
以上のように、各ＤＣＣにおける狭帯域に関するフィードバック情報を報告するために割り当てられたサブフレーム数（ＰＵＣＣＨ数）を、狭帯域に関するフィードバック情報を報告するために割り当てられたサブフレーム数（ＰＵＣＣＨ数）が最も少ないＤＣＣでの値に設定する。言い換えれば、各ＤＣＣにおけるＷ−ＣＱＩの報告の周期を、Ｗ−ＣＱＩの報告の周期が最も小さいＤＣＣにおける値に設定する。
【００５８】
このとき、設定されたフィードバックリソースが、Ｓ−ＣＱＩを報告するために必要なリソースよりも小さいＤＣＣにおいて、図９で説明する報告手順では、設定されたフィードバックリソースを用いて、一部のＳ−ＣＱＩを報告する。そのとき、送信するリソースの無いＳ−ＣＱＩは省略される。すなわち、ＤＣＣ１において、Ｊ２回分のリソースを用いて、Ｊ１個のＳ−ＣＱＩのうちＪ２個のＳ−ＣＱＩを報告する。その際、（Ｊ１−Ｊ２）個のＳ−ＣＱＩは省略される。そのようなフィードバックをさらにＫ回繰り返して行われる。なお、一部のＳ−ＣＱＩを報告する際に、周波数の低いＢＰから周期的に報告してもよいし、端末装置１０２が報告するＢＰを選択してもよい。あるいは、ＤＣＣ１において、Ｈ２−１回分のリソース用いて、Ｈ１−１個のＳ−ＣＱＩのうちＨ２−１個を報告する。なお、以上の説明ではＫ＝１としたが、これに限るものではない。各ＤＣＣに共通のＫ（Ｋは１以上の整数）を用いてもよいし、各ＤＣＣに個別のＫ（例えばＤＣＣ１ではＫ１、ＤＣＣ２ではＫ２など）を用いてもよい。この場合、Ｈ１−１（＝Ｊ１・Ｋ１）とＨ２−１（＝Ｊ２・Ｋ２）とを比較して、小さい方の値を用いてＷ−ＣＱＩの報告の周期を決定すればよい。あるいは、Ｊ１とＪ２とを比較して小さい方の値を用いてＷ−ＣＱＩの報告の周期を決定してもよい。なお、ＤＣＣ１において、Ｊ２・Ｋ回分のリソースを用いて、Ｊ１個のＳ−ＣＱＩを繰り返して報告してもよい。
【００５９】
図９で示すようなフィードバック情報の報告手順を用いることにより、フィードバック周期を報告するＤＣＣの全てで同じにすることができるため、効率的なフィードバックが実現できる。また、図９で示すような方法は、ＤＣＣ毎に独立にフィードバックする場合に比べて、整合性を容易に取りながら、フィードバックを行うための制御情報のオーバーヘッドを削減させることができる。また、全てのＤＣＣにおいて、冗長に報告するフィードバック情報が無いため、効率的に適応制御が実現できる。
【００６０】
図１０は、本実施形態に係るフィードバック情報の報告手順（プロシージャ）の一例を示している。図１０における報告手順では、Ｓ−ＣＱＩを報告するＤＣＣとＳ−ＣＱＩを報告しないＤＣＣが混在する場合を説明する。すなわち、ＤＣＣ１ではＳ−ＣＱＩを報告し、ＤＣＣ２ではＳ−ＣＱＩを報告しない場合を説明する。また、ＤＣＣ１におけるＢＰ数Ｊ１が４とする。そのとき、各ＤＣＣの各々におけるフィードバックリソース数は、Ｓ−ＣＱＩを報告するＤＣＣのフィードバックリソース数とする場合を説明する。すなわち、各ＤＣＣにおけるフィードバックリソースは、ＢＰ数が４の場合に基づいた大きさとなる。
【００６１】
まず、基地局装置１０１はＲＲＣ（Ｒａｄｉｏ  Ｒｅｓｏｕｒｃｅ  Ｃｏｎｔｒｏｌ）シグナリングを介して、端末装置１０２におけるフィードバックのパラメータを設定し、周期的なフィードバックを指示する（ステップＳ１００１）。周期的なフィードバックを指示された端末装置１０２は、まずＤＣＣ１におけるフィードバック情報を報告する。端末装置１０２は、設定されたフィードバックのパラメータに従いＤＣＣ１におけるＲＩおよびＰＩ１（ステップＳ１００２）、ＤＣＣ１におけるＰＩ２およびＷ−ＣＱＩ（ステップＳ１００３）をそれぞれ周期的に基地局装置１０１に報告する。さらに端末装置１０２は、ＤＣＣ１におけるＳ−ＣＱＩを周期的に報告する（ステップＳ１００４〜ステップＳ１００７）。具体的には、端末装置１０２は、ＤＣＣ１における１番目のＢＰを代表するＳ−ＣＱＩ１（ステップＳ１００４）、ＤＣＣ１における２番目のＢＰを代表するＳ−ＣＱＩ２（ステップＳ１００５）、ＤＣＣ１における３番目のＢＰを代表するＳ−ＣＱＩ３（ステップＳ１００６）、ＤＣＣ１における４番目のＢＰを代表するＳ−ＣＱＩ４（ステップＳ１００７）をそれぞれ報告する。ステップＳ１００４〜ステップＳ１００７で示されたＳ−ＣＱＩの報告は、ステップＳ１００３におけるＷ−ＣＱＩの報告と後述するステップＳ１００９におけるＷ−ＣＱＩの報告との合間にＫ回（サイクル）繰り返して周期的に行われる。すなわち、ＤＣＣ１におけるＳ−ＣＱＩの報告は、Ｊ１・Ｋ（＝Ｈ１−１）回周期的に行われる。また、図１０に示す例では、Ｋ＝１の場合を示している。
【００６２】
さらに端末装置１０２は、ＤＣＣ２におけるフィードバック情報を報告する。端末装置１０２は、設定されたフィードバックのパラメータに従いＤＣＣ２におけるＲＩおよびＰＩ１（ステップＳ１００８）、ＤＣＣ２におけるＰＩ２およびＷ−ＣＱＩ（ステップＳ１００９）をそれぞれ周期的に基地局装置１０１に報告する。さらに端末装置１０２は、ＤＣＣ１におけるＳ−ＣＱＩを報告するフィードバックリソースと同じ大きさのフィードバックリソースに対して、何も送信しないか、他の情報を送信する（ステップＳ１０１０〜ステップＳ１０１３）。具体的には、端末装置１０２は、ステップＳ１０１０〜ステップＳ１０１３で示されるタイミングでは、端末装置１０２は何も送信しないか、他の情報を送信する。ステップＳ１０１０〜ステップＳ１０１３で示された動作は、Ｋ回（サイクル）繰り返して周期的に行われる。また、図１０に示す例では、Ｋ＝１の場合を示している。以降、ステップＳ１００２〜ステップＳ１０１３で示される報告または処理は繰り返して周期的に行われる。
【００６３】
ここで、図１０における縦軸の間隔は時間の大きさを表わしてはいるものではなく、各フィードバック情報の報告は図１０で示される順序に限定されるものではない。具体的には、ＲＩあるいはＰＩ１と、それ以外のフィードバック情報を独立してフィードバック周期を設定することができる。すなわち、Ｗ−ＣＱＩ、ＰＩ２あるいはＳ−ＣＱＩを報告するサブフレームと、ＲＩあるいはＰＩ１を報告するサブフレームとを独立にそれらの周期を設定する場合、それらの報告の順序が入れ替わる場合が生じる。また、Ｗ−ＣＱＩ、ＰＩ２あるいはＳ−ＣＱＩを報告するサブフレームと、ＲＩあるいはＰＩ１を報告するサブフレームとが同じサブフレームになる場合が生じる。この場合、Ｗ−ＣＱＩ、ＰＩ２あるいはＳ−ＣＱＩを報告せずにＲＩあるいはＰＩ１を報告する。また、ステップ６０１におけるＲＲＣシグナリングで、ＲＩあるいはＰＩ１あるいはＰＩ２をフィードバックしないように設定することも可能である。その場合は、端末装置１０２はＣＱＩのみを報告する。
【００６４】
以上のように、Ｓ−ＣＱＩを報告するＤＣＣとＳ−ＣＱＩを報告しないＤＣＣが混在する場合、Ｓ−ＣＱＩを報告しないＤＣＣにおいて、図１０で説明する報告手順では、設定されたフィードバックリソースに対して、何も送信しないか、他の情報を送信する。すなわち、ＤＣＣ２において、Ｊ１・Ｋ回分のリソースに対して、何も送信しないか、他の情報を送信する。なお、Ｓ−ＣＱＩを報告しないＤＣＣにおける設定されたフィードバックリソースを用いて、他のＤＣＣにおけるＳ−ＣＱＩを報告してもよい。
【００６５】
図１０で示すようなフィードバック情報の報告手順を用いることにより、報告するＤＣＣの全てでフィードバック周期（Ｗ−ＣＱＩの報告の周期）を同じにすることができるため、効率的なフィードバックが実現できる。また、図１０で示すような方法は、ＤＣＣ毎に独立にフィードバックする場合に比べて、整合性を容易に取りながら、フィードバックを行うための制御情報のオーバーヘッドを削減させることができる。
【００６６】
以上のように、本実施形態で説明した方法を用いることにより、報告するＤＣＣ間でＢＰ数が異なる場合でも、ＤＣＣ毎のフィードバックリソースを同じ大きさにすることができるため、効率的なフィードバックが実現できる。また、ＤＣＣ毎に独立にフィードバックする場合に比べて、整合性を容易に取りながら、フィードバックを行うための制御情報のオーバーヘッドを削減させることができる。
【００６７】
また、以上の説明では、全てのＤＣＣにおけるフィードバックリソースが、報告するＤＣＣの中で最大または最小のフィードバックリソースである場合などを説明したが、これに限定されるものではない。所定のＤＣＣ（例えば、プライマリーＤＣＣ）におけるフィードバックリソースを全てのＤＣＣにおけるフィードバックリソースとしてもよい。ここで、各ＤＣＣの帯域幅が所定のＤＣＣよりも大きい場合や小さい場合が生じる。この場合、Ｓ−ＣＱＩを報告するサブフレームの設定として、上記で説明したような設定にする（例えば、帯域幅が所定のＤＣＣよりも大きいＤＣＣでは図６または図８に示した設定を用い、帯域幅が所定のＤＣＣよりも小さいＤＣＣでは図９に示した設定を用いる）ことで、Ｓ−ＣＱＩを効率的に報告することができる。なお、プライマリーＤＣＣは、基地局装置１０１によって、全てのＤＣＣから１つのＤＣＣを端末装置毎に設定される。これにより、プライマリーＤＣＣを設定する通信システムにおいて、より効率よくフィードバックすることができ、効果的な適応制御が実現できる。また、フィードバックリソースの大きさの基準となるＤＣＣを基地局装置１０１がＰＤＣＣＨまたはＲＲＣシグナリングを介して、基地局装置固有または端末装置固有に設定してもよい。これにより、適応制御に対する柔軟性を高めることができる。
【００６８】
ここで、部分プレコーダ情報ＰＩについての詳細を説明する。図１１は、本実施形態に係る部分プレコーダ情報のコードブックの一例である。このコードブックのサイズは１６であり、ＰＩ１として４ビットで表すことができるインデックスｓを指定することにより、ｓに対応するＷ１ｓが一意に決定する。
【００６９】
図１２は、本実施形態に係るコードブックの一例である。このコードブックのサイズは４であり、ＰＩ２として２ビットで表すことができるインデックスｔを指定することにより、ｔに対応するＷ２ｔが一意に決定する。
【００７０】
なお、図１１および図１２に示したコードブックは一例であり、この他のコードブックを用いることもできる。例えば、図１１および図１２に示したコードブックのコードブックサイズとは異なるコードブックサイズのコードブックを用いるもできる。
【００７１】
好適なプレコーダは、ＰＩ１が示すＷ１ｓとＰＩ２が示すＷ２ｔとを用いて指定されることができる。ここで、好適なプレコーダとしては、例えば、下りリンクの伝搬路を考慮した上で、下りリンクの受信信号電力、下りリンクの受信品質、下りリンクの伝送レートが大きくなるようなプレコーダを採用することができる。
【００７２】
より具体的には、好適なプレコーダＦをＦ＝Ａ（ｓ）Ｂ（ｔ）と表現するようにシステムで取り決めておき、ＰＩ１としてｓを、ＰＩ２としてｔを報告する。ここで、Ｆはレイヤ数×アンテナポート数のサイズの行列であり、ＡおよびＢは所定のサイズの行列である。ただし、ここでいう行列とは、ベクトルあるいはスカラーを含む概念である。ＡおよびＢとしては、例えば以下のようなにｓ、ｔを指定することにより一意に決まる任意の行列を用いることができる。
【００７３】
（１）Ａ（ｓ）＝Ｗ１ｓ、Ｂ（ｔ）＝Ｖ１＋Ｖ２Ｗ２ｔとする。ここで、Ｖ１とＶ２は０と１の要素からなる所定の行列、Ｗ１ｓは所定のコードブックで指定される行列、Ｗ２ｔは所定のコードブックで指定されるスカラーである。
【００７４】
（２）Ａ（ｓ）＝Ｗ１ｓ、Ｂ（ｔ）＝Ｗ２ｔとする。ここで、Ｗ１ｓおよびＷ２ｔは所定のコードブックで指定される行列である。
【００７５】
（３）Ａ（ｓ）＝［Ｗ１ｓ  Ｗ１ｓ］、Ｂ（ｔ）＝Ｗ２ｔとする。ここで、Ｗ１ｓおよびＷ２ｔは所定のコードブックで指定される行列である。
【００７６】
（４）Ａ（ｓ）＝Ｋ（Ｕ、Ｗ１ｓ）、Ｂ（ｔ）＝［Ｉ  Ｗ２ｔＴ］Ｔとする。ここで、Ｕは所定の行列、Ｉは単位行列、Ｗ１ｓおよびＷ２ｔは所定のコードブックで指定される行列である。また、Ｋ（Ｘ、Ｙ）は行列Ｘと行列Ｙとのクロネッカー積、ＸＴは行列Ｘの転置行列を表す演算子である。
【００７７】
このように、ＰＩ１とＰＩ２とを用いて表現する好適なプレコーダとは、ＰＩ１が表現するプレコーダとＰＩ２が表現するプレコーダとを結合したプレコーダとしても表現することができる。なお、ここではプレコーダの結合として、Ｆ＝Ａ（ｓ）Ｂ（ｔ）と表現するようにシステムで取り決めておく場合について説明するが、Ｆ＝Ｂ（ｓ）Ａ（ｔ）やＦ＝Ｋ（Ａ（ｓ）、Ｂ（ｔ））と表現するような場合など、その他のプレコーダの結合方法をシステムで取り決めておいても同様の効果を得ることができる。
【００７８】
図１３は、本実施形態に係るプレコーディング処理の概念図である。ここでは、アンテナポート数が４、レイヤ数が２であり、Ｆ＝Ｗ１ｓＷ２ｔの場合について説明する。ＰＩ１が表すプレコーダであるＷ１ｓにより各レイヤの各アンテナポートにおける信号点は変位（ここでは０から２πの範囲で位相が回転）し、さらにＰＩ２が表すプレコーダであるＷ２ｔにより各レイヤの各アンテナポートにおける信号点は変位（ここでは０から２πの範囲で位相が回転）する。なお、図１３に示した信号点の変位は一例であって、これに限るものではない。
【００７９】
端末装置１０２は、まずＰＩ１を報告するに際し、各レイヤの各アンテナポートにおける信号点に対して固有の変位を与えるプレコーダ群からなるコードブックから、好適なプレコーダ（プレコーダをかけた後の信号点が好適であるプレコーダ）を決定する。ここで、ＰＩ１を決定に用いるコードブックは図１１に示すようなコードブックを用いる。端末装置１０２は、次にＰＩ２を報告するに際し、報告したＰＩ１が表すプレコーダをかけた後の信号点に対して、さらにプレコーダをかけた後の信号点が好適であるプレコーダをコードブックから決定し、そのインデックスをＰＩ２として報告する。ここで、ＰＩ２を決定に用いるコードブックは図１２に示すようなコードブックを用いる。あるいは、ＰＩ２を決定してから、ＰＩ１を決定するようにしてもよい。
【００８０】
あるいは、端末装置１０２は、ＰＩ１とＰＩ２とを同時に決定することもできる。ＰＩ１とＰＩ２の様々な組み合わせにおいて、Ｗ１ｓとＷ２ｔとを結合させたプレコーダを調査し、その中から好適なプレコーダを表現するＰＩ１とＰＩ２の様々な組み合わせを決定すればよい。
【００８１】
端末装置１０２は、下りリンク帯域幅（あるいは下りリンクコンポーネントキャリア帯域幅）単位のＰＩ１とＰＩ２とを報告することもできるし、部分帯域幅単位の報告を行うこともできる。あるいは、下りリンク帯域幅単位のＰＩ１と、部分帯域幅単位のＰＩ２とを報告することもできる。図１４はＰＩを測定するためのＲＳの一例を示している。広帯域に渡って配置されたＲＳの測定結果を用いて下りリンク帯域幅単位のＰＩ１を決定し、決定したＰＩ１と部分帯域幅内のＲＳの測定結果とを用いて、部分帯域幅単位のＰＩ２を決定する。
【００８２】
なお、以上の説明では、ＤＣＣ間でＷ−ＣＱＩを報告する周期を同じにし、Ｗ−ＣＱＩを報告する合間でＳ−ＣＱＩを報告するに際し、報告するＳ−ＣＱＩのＢＰと報告するサブフレームとの対応付ける方法について述べた。この他にも、Ｗ−ＣＱＩを報告する合間でＢＰ毎のＰＩ１あるいはＰＩ２を報告するようなシステムでは、同様の手法でＰＩ１あるいはＰＩ２を報告するＢＰとサブフレームとを対応付けるようにすることができる。
（第２の実施形態）
上記第１の実施形態では、報告するＤＣＣ間でＢＰ数が異なる場合において、ＤＣＣ毎のフィードバックリソース数を同じにする場合について説明した。本発明の第２の実施形態では、報告するＤＣＣ間でＢＰ数が異なる場合において、報告するＤＣＣにおけるＢＰ数に応じて、ＤＣＣ毎にフィードバックリソース数を設定する場合について説明する。以下、図面を参照して、本発明の第２の実施形態について説明する。
【００８３】
図１５は、本実施形態に係るフィードバック情報の報告手順の一例を示している。図１５における報告手順では、それぞれのＤＣＣにおけるフィードバックリソース数は、各ＤＣＣにおけるＢＰ数に応じて、ＤＣＣ毎に設定される場合を説明する。すなわち、全てのＤＣＣに対するフィードバック情報のフィードバック周期は、全てのＤＣＣにおけるＢＰ数の合計に基づいて、設定される。また、ＤＣＣ１におけるＢＰ数Ｊ１が４であり、ＤＣＣ２におけるＢＰ数Ｊ２が３である場合を説明する。すなわち、ＤＣＣ１におけるフィードバックリソースは、ＢＰ数が４の場合に基づいた大きさとなり、ＤＣＣ２におけるフィードバックリソースは、ＢＰ数が３の場合に基づいた大きさとなる。また、全てのＤＣＣに対するフィードバック情報のフィードバック周期は、ＢＰ数が７の場合に基づいて設定される。
【００８４】
まず、基地局装置１０１はＲＲＣシグナリングを介して、端末装置１０２におけるフィードバックのパラメータを設定し、周期的なフィードバックを指示する（ステップＳ１５０１）。周期的なフィードバックを指示された端末装置１０２は、まずＤＣＣ１におけるフィードバック情報を報告する。端末装置１０２は、設定されたフィードバックのパラメータに従いＤＣＣ１におけるＲＩおよびＰＩ１（ステップＳ１５０２）、ＤＣＣ１におけるＰＩ２およびＷ−ＣＱＩ（ステップＳ１５０３）をそれぞれ周期的に基地局装置１０１に報告する。さらに端末装置１０２は、ＤＣＣ１におけるＳ−ＣＱＩを周期的に報告する（ステップＳ１５０４〜ステップＳ１５０７）。具体的には、端末装置１０２は、ＤＣＣ１における１番目のＢＰを代表するＳ−ＣＱＩ１（ステップＳ１５０４）、ＤＣＣ１における２番目のＢＰを代表するＳ−ＣＱＩ２（ステップＳ１５０５）、ＤＣＣ１における３番目のＢＰを代表するＳ−ＣＱＩ３（ステップＳ１５０６）、ＤＣＣ１における４番目のＢＰを代表するＳ−ＣＱＩ４（ステップＳ１５０７）をそれぞれ報告する。ステップＳ１５０４〜ステップＳ１５０７で示されたＳ−ＣＱＩの報告は、ステップＳ１５０３におけるＷ−ＣＱＩの報告と後述するステップＳ１５０９におけるＷ−ＣＱＩの報告との合間にＫ回（サイクル）繰り返して周期的に行われる。すなわち、ＤＣＣ１におけるＳ−ＣＱＩの報告は、Ｊ１・Ｋ（＝Ｈ１−１）回周期的に行われる。また、図１５に示す例では、Ｋ＝１の場合を示している。
【００８５】
さらに端末装置１０２は、ＤＣＣ２におけるフィードバック情報を報告する。端末装置１０２は、設定されたフィードバックのパラメータに従いＤＣＣ２におけるＲＩおよびＰＩ１（ステップＳ１５０８）、ＤＣＣ２におけるＰＩ２およびＷ−ＣＱＩ（ステップＳ１５０９）をそれぞれ周期的に基地局装置１０１に報告する。さらに端末装置１０２は、ＤＣＣ１におけるＳ−ＣＱＩを報告するフィードバックリソースと同じ大きさのフィードバックリソースを用いて、ＤＣＣ２におけるＳ−ＣＱＩを周期的に報告する（ステップＳ１５１０〜ステップＳ１５１２）。具体的には、端末装置１０２は、ＤＣＣ２における１番目のＢＰを代表するＳ−ＣＱＩ１（ステップＳ１５１０）、ＤＣＣ２における２番目のＢＰを代表するＳ−ＣＱＩ２（ステップＳ１５１１）、ＤＣＣ２における３番目のＢＰを代表するＳ−ＣＱＩ３（ステップＳ１５１２）をそれぞれ報告する。ステップＳ１５１０〜ステップＳ１５１２で示されたＳ−ＣＱＩの報告は、ステップＳ１５０９におけるＷ−ＣＱＩの報告とステップＳ１５０３におけるＷ−ＣＱＩの報告との合間にＫ回（サイクル）繰り返して周期的に行われる。すなわち、ＤＣＣ２におけるＳ−ＣＱＩの報告は、Ｊ２・Ｋ（＝Ｈ２−１）回周期的に行われる。また、図１５に示す例では、Ｋ＝１の場合を示している。以降、ステップＳ１５０２〜ステップＳ１５１２で示される報告または処理は繰り返して周期的に行われる。
【００８６】
ここで、図１５における縦軸の間隔は時間の大きさを表わしてはいるものではなく、各フィードバック情報の報告は図１５で示される順序に限定されるものではない。具体的には、ＲＩあるいはＰＩ１と、それ以外のフィードバック情報を独立してフィードバック周期を設定することができる。すなわち、Ｗ−ＣＱＩ、ＰＩ２あるいはＳ−ＣＱＩを報告するサブフレームと、ＲＩあるいはＰＩ１を報告するサブフレームとを独立にそれらの周期を設定する場合、それらの報告の順序が入れ替わる場合が生じる。また、Ｗ−ＣＱＩ、ＰＩ２あるいはＳ−ＣＱＩを報告するサブフレームと、ＲＩあるいはＰＩ１を報告するサブフレームとが同じサブフレームになる場合が生じる。この場合、Ｗ−ＣＱＩ、ＰＩ２あるいはＳ−ＣＱＩを報告せずにＲＩあるいはＰＩ１を報告する。また、ステップ６０１におけるＲＲＣシグナリングで、ＲＩあるいはＰＩ１あるいはＰＩ２をフィードバックしないように設定することも可能である。その場合は、端末装置１０２はＣＱＩのみを報告する。
【００８７】
以上のように、それぞれのＤＣＣにおいて、図１５で説明する報告手順では、各ＤＣＣにおける狭帯域に関するフィードバック情報を報告するために割り当てられたサブフレーム数（ＰＵＣＣＨ数）は、それぞれのＤＣＣにおけるＢＰ数で設定される。また、報告する全てのＤＣＣにおけるＢＰ数の合計に基づいて、全てのＤＣＣに対するフィードバック情報のフィードバック周期が設定される。そのとき、端末装置１０２は、あるＤＣＣにおいて、他のＤＣＣのＢＰ数を参照して、あるＤＣＣにおけるフィードバック情報の報告タイミング（フィードバックリソース）を設定する。
【００８８】
図１５で示すようなフィードバック情報の報告手順を用いることにより、それぞれのＤＣＣにおけるフィードバックリソース数をＤＣＣ毎に最適化することができる。また、ＤＣＣ毎に独立にフィードバックする場合に比べて、整合性を容易に取りながら、フィードバックを行うための制御情報のオーバーヘッドを削減させることができる。
【００８９】
図１６は、本実施形態に係るフィードバック周期の一例を示す図である。図１６では、図１５で説明したフィードバック情報の報告手順におけるフィードバック周期について説明する。また、図１６の横軸は時間を示している。
【００９０】
ＤＣＣ１におけるＷ−ＣＱＩおよびＰＩ２は、ｓｕｍ（Ｈｊ）・ＮＰサブフレームの周期で、基準となるサブフレームからＮＯＦＦＳＥＴ、ＣＱＩだけシフトしたサブフレームで報告される。また、ＤＣＣ１におけるＲＩおよびＰＩ１は、Ｗ−ＣＱＩおよびＷ−ＰＭＩの周期のＭＲＩ倍であるｓｕｍ（Ｈｊ）・ＮＰ・ＭＲＩの周期で、基準となるサブフレームからＮＯＦＦＳＥＴ、ＣＱＩ＋ＮＯＦＦＳＥＴ、ＲＩだけシフトしたサブフレーム、すなわちＷ−ＣＱＩおよびＷ−ＰＭＩからさらにＮＯＦＦＳＥＴ、ＲＩだけシフトしたサブフレームで報告される。ただし、Ｈｊ＝Ｊｊ・Ｋ＋１（ｊ＝１，２，．．．，ｍ）であり、Ｊｊはｊ番目のＤＣＣにおけるＢＰ数である。また、ｓｕｍ（ｘ）はｘの各要素の総和である。さらに、Ｓ−ＣＱＩは、ＤＣＣ１におけるＷ−ＣＱＩの報告とＤＣＣ２におけるＷ−ＣＱＩの報告との間の期間であるＨ１・ＮＰ（＝（Ｊ１・Ｋ＋１）・ＮＰ）サブフレームの期間で周期的に報告される。すなわち、ＤＣＣ１におけるＳ−ＣＱＩは、Ｈ１・ＮＰサブフレームの期間に、Ｊ１・Ｋ（＝Ｈ１−１）回報告される。
【００９１】
また、ＤＣＣ２におけるＷ−ＣＱＩおよびＰＩ２は、Ｈ２・ＮＰサブフレームの周期で、ＤＣＣ１におけるＷ−ＣＱＩの報告に用いるサブフレームからＨ１・ＮＰだけシフトしたサブフレームで報告される。また、ＤＣＣ２におけるＲＩおよびＰＩ１は、Ｗ−ＣＱＩおよびＷ−ＰＭＩの周期のＭＲＩ倍であるｓｕｍ（Ｈｊ）・ＮＰ・ＭＲＩの周期で、ＤＣＣ１におけるＲＩおよびＰＩ１の報告に用いるサブフレームからＨ１・ＮＰ・ＭＲＩだけシフトしたサブフレームで報告される。さらに、Ｓ−ＣＱＩは、ＤＣＣ２におけるＷ−ＣＱＩの報告とＤＣＣ１におけるＷ−ＣＱＩの報告との間の期間であるＨ２・ＮＰ（＝（Ｊ２・Ｋ＋１）・ＮＰ）サブフレームの期間で周期的に報告される。すなわち、ＤＣＣ２におけるＳ−ＣＱＩは、Ｈ２・ＮＰサブフレームの期間に、Ｊ２・Ｋ（＝Ｈ２−１）回報告される。
【００９２】
ここで、ＤＣＣ１およびＤＣＣ２において、Ｊ１・Ｋ回およびＪ２・Ｋ回報告されるＳ−ＣＱＩのそれぞれは、ＢＰを代表するＣＱＩである。Ｊ１個およびＪ２個のＢＰにおけるＣＱＩを、ＤＣＣ毎に周波数の低いＢＰにおけるＣＱＩから順次報告し、下りリンク帯域幅を網羅するようにＪ１回およびＪ２回の報告が行われる。さらに、Ｊ１回およびＪ２回の報告をそれぞれＫサイクル繰り返すことにより、Ｈ１・ＮＰおよびＨ２・ＮＰサブフレームの期間にＪ１・Ｋ回およびＪ２・Ｋ回の報告が行われる。
【００９３】
また、他の観点から図１６について説明すると、ｍ個のＤＣＣにおけるＷ−ＣＱＩおよびＳ−ＣＱＩは、ＤＣＣを巡回するようにｓｕｍ（Ｈｉ）・ＮＰの周期で報告される。
【００９４】
なお、以上の説明では各ＤＣＣに共通のＫとしたが、これに限るものではない。各ＤＣＣに個別のＫ（例えばＤＣＣ１ではＫ１、ＤＣＣ２ではＫ２など）を用いてもよい。その場合、Ｈｊ＝Ｊｊ・Ｋｊ＋１となる。
【００９５】
図１７は、本実施形態に係るフィードバック情報の報告手順の一例を示している。図１７における報告手順では、Ｓ−ＣＱＩを報告するＤＣＣとＳ−ＣＱＩを報告しないＤＣＣが混在する場合を説明する。すなわち、ＤＣＣ１ではＳ−ＣＱＩを報告し、ＤＣＣ２ではＳ−ＣＱＩを報告しない場合を説明する。また、ＤＣＣ１におけるＢＰ数Ｊ１が４とする。そのとき、Ｓ−ＣＱＩを報告するＤＣＣにおけるフィードバックリソースは、そのＤＣＣにおけるＢＰ数に応じて、ＤＣＣ毎に設定される場合を説明する。すなわち、全てのＤＣＣに対するフィードバック情報のフィードバック周期は、Ｓ−ＣＱＩを報告するＤＣＣにおけるＢＰ数の合計に基づいて、設定される。
【００９６】
まず、基地局装置１０１はＲＲＣシグナリングを介して、端末装置１０２におけるフィードバックのパラメータを設定し、周期的なフィードバックを指示する（ステップＳ１７０１）。周期的なフィードバックを指示された端末装置１０２は、まずＤＣＣ１におけるフィードバック情報を報告する。端末装置１０２は、設定されたフィードバックのパラメータに従いＤＣＣ１におけるＲＩおよびＰＩ１（ステップＳ１７０２）、ＤＣＣ１におけるＰＩ２およびＷ−ＣＱＩ（ステップＳ１７０３）をそれぞれ周期的に基地局装置１０１に報告する。さらに端末装置１０２は、ＤＣＣ１におけるＳ−ＣＱＩを周期的に報告する（ステップＳ１７０４〜ステップＳ１７０７）。具体的には、端末装置１０２は、ＤＣＣ１における１番目のＢＰを代表するＳ−ＣＱＩ１（ステップＳ１７０４）、ＤＣＣ１における２番目のＢＰを代表するＳ−ＣＱＩ２（ステップＳ１７０５）、ＤＣＣ１における３番目のＢＰを代表するＳ−ＣＱＩ３（ステップＳ１７０６）、ＤＣＣ１における４番目のＢＰを代表するＳ−ＣＱＩ４（ステップＳ１７０７）をそれぞれ報告する。ステップＳ１７０４〜ステップＳ１７０７で示されたＳ−ＣＱＩの報告は、ステップＳ１７０３におけるＷ−ＣＱＩの報告と後述するステップＳ１７０９におけるＷ−ＣＱＩの報告の合間にＫ回（サイクル）繰り返して周期的に行われる。すなわち、ＤＣＣ１におけるＳ−ＣＱＩの報告は、Ｊ１・Ｋ（＝Ｈ１−１）回周期的に行われる。また、図１７に示す例では、Ｋ＝１の場合を示している。
【００９７】
さらに端末装置１０２は、Ｓ−ＣＱＩを報告しないＤＣＣ２におけるフィードバック情報を報告する。端末装置１０２は、設定されたフィードバックのパラメータに従いＤＣＣ２におけるＲＩおよびＰＩ１（ステップＳ１７０８）、ＤＣＣ２におけるＰＩ２およびＷ−ＣＱＩ（ステップＳ１７０９）をそれぞれ周期的に基地局装置１０１に報告する。以降、ステップＳ１７０２〜ステップＳ１７０９で示される報告または処理は繰り返して周期的に行われる。
【００９８】
ここで、図１７における縦軸の間隔は時間の大きさを表わしてはいるものではなく、各フィードバック情報の報告は図１７で示される順序に限定されるものではない。具体的には、ＲＩあるいはＰＩ１と、それ以外のフィードバック情報を独立してフィードバック周期を設定することができる。すなわち、Ｗ−ＣＱＩ、ＰＩ２あるいはＳ−ＣＱＩを報告するサブフレームと、ＲＩあるいはＰＩ１を報告するサブフレームとを独立にそれらの周期を設定する場合、それらの報告の順序が入れ替わる場合が生じる。また、Ｗ−ＣＱＩ、ＰＩ２あるいはＳ−ＣＱＩを報告するサブフレームと、ＲＩあるいはＰＩ１を報告するサブフレームとが同じサブフレームになる場合が生じる。この場合、Ｗ−ＣＱＩ、ＰＩ２あるいはＳ−ＣＱＩを報告せずにＲＩあるいはＰＩ１を報告する。また、ステップ６０１におけるＲＲＣシグナリングで、ＲＩあるいはＰＩ１あるいはＰＩ２をフィードバックしないように設定することも可能である。その場合は、端末装置１０２はＣＱＩのみを報告する。
【００９９】
以上のように、Ｓ−ＣＱＩを報告するＤＣＣとＳ−ＣＱＩを報告しないＤＣＣが混在する場合でも、図１７で示すようなフィードバック情報の報告手順を用いることにより、それぞれのＤＣＣにおけるフィードバックリソースをＤＣＣ毎に最適化することができる。また、ＤＣＣ毎に独立にフィードバックする場合に比べて、整合性を容易に取りながら、フィードバックを行うための制御情報のオーバーヘッドを削減させることができる。
【０１００】
以上のように、本実施形態で説明した方法を用いることにより、報告するＤＣＣ間でＢＰ数が異なる場合でも、それぞれのＤＣＣにおけるフィードバックリソースをＤＣＣ毎に最適化することができる。また、ＤＣＣ毎に独立にフィードバックする場合に比べて、整合性を容易に取りながら、フィードバックを行うための制御情報のオーバーヘッドを削減させることができる。
【０１０１】
なお、以上の説明では、ＤＣＣ毎にＷ−ＣＱＩを報告する周期を設定し、Ｗ−ＣＱＩを報告する合間でＳ−ＣＱＩを報告するに際し、各ＤＣＣにおいて、報告するＳ−ＣＱＩのＢＰと報告するサブフレームとの対応付ける方法について述べた。この他にも、Ｗ−ＣＱＩを報告する合間でＢＰ毎のＰＩ１あるいはＰＩ２を報告するようなシステムでは、同様の手法でＰＩ１あるいはＰＩ２を報告するＢＰとサブフレームとを対応付けるようにすることができる。
（第３の実施形態）
本発明の第３の実施形態では、本発明に係る基地局装置１０１および端末装置１０２が有する機能ブロックについて説明する。以下、図面を参照して、本発明の第３の実施形態について説明する。
【０１０２】
図１８は、本実施形態に係る基地局装置１０１の構成の一例を示す概略図である。基地局装置１０１は、符号部１８０１、スクランブル部１８０２、変調部１８０３、レイヤーマッピング部１８０４、プレコーディング部１８０５、参照信号生成部１８０６、リソースエレメントマッピング部１８０７、ＯＦＤＭ信号生成部１８０８、送信アンテナ（基地局側送信アンテナ）１８０９、受信アンテナ（基地局側受信アンテナ）１８１０、受信信号処理部１８１１、フィードバック情報処理部１８１２、上位層１８１３を有する。
【０１０３】
上位層１８１３から送られてくるコードワード（送信データ系列）毎の送信データ（ビット系列）のそれぞれは、符号部１８０１で誤り訂正符号化およびレートマッピング処理され、スクランブル部１８０２においてスクランブリング符号が乗算され、変調部１８０３でＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理が施される。このとき、上位層１８１３から送られてくる送信データ系列は、ＲＲＣシグナリング用の制御データを含む。レイヤーマッピング部１８０４では、変調部１８０３から出力された変調シンボル系列をレイヤ毎に分配する。プレコーディング部１８０５は、レイヤ毎の変調シンボル系列に対してプレコーディング処理を行う。より具体的には、プレコーディング行列を乗算する。
【０１０４】
参照信号生成部１８０６は、下りリンクＲＳを生成する。リソースエレメントマッピング部１８０７は、プレコーディング部１８０５においてプレコーディングされた変調シンボル系列と、参照信号生成部１８０６で生成されたＲＳとを、所定のリソースエレメントにマッピングする。
【０１０５】
リソースエレメントマッピング部１８０７から出力されたリソースブロック群は、ＯＦＤＭ信号生成部１８０８においてＯＦＤＭ信号に変換し、下りリンク送信信号として送信アンテナ１８０９から送信する。
【０１０６】
一方、受信アンテナ１８１０において受信した上りリンク受信信号は、受信信号処理部１８１１において所定の信号処理が施された後、フィードバック情報がフィードバック情報処理部１８１２に送られる。フィードバック情報処理部１８１２は、端末装置１０２から報告された部分プレコーダ情報を用いて、プレコーディング部１８０５において用いるプレコーディング行列を決定する。ここで、上記各実施形態で説明したように、端末装置毎に各コンテンツを報告するタイミングを異なって設定することができる。そのため、上位層１８１３によりフィードバック情報処理部１８１２におけるＲＩ・ＣＱＩ・ＰＩの周期およびオフセットが設定され、フィードバック情報処理部１８１２は、いずれのタイミングで受信信号処理部１８１１から送られた信号がいずれの端末装置１０２におけるいずれのコンテンツを含むかを識別し、各端末装置１０２における好適な適応制御を実現することができる。
【０１０７】
図１９は、本実施形態に係る端末装置１０２（受信装置）の構成の一例を示す概略図である。端末装置１０２は、受信アンテナ（端末側受信アンテナ）１９０１、ＯＦＤＭ信号復調部１９０２、リソースエレメントデマッピング部１９０３、フィルタ部１９０４、レイヤーデマッピング部１９０５、復調部１９０６、デスクランブル部１９０７、復号部１９０８、上位層１９０９、参照信号測定部１９１０、フィードバック情報生成部１９１１、送信信号生成部１９１２、送信アンテナ（端末側送信アンテナ）１９１３を有する。
【０１０８】
受信アンテナ１９０１において受信した下りリンク受信信号は、ＯＦＤＭ信号復調部１９０２においてＯＦＤＭ復調処理が施され、リソースブロック群が出力される。リソースエレメントデマッピング部１９０３では、ＲＳを参照信号測定部１９１０に出力するとともに、ＲＳがマッピングされていたリソースエレメント以外のリソースエレメントにおける受信信号をフィルタ部１９０４に出力する。フィルタ部１９０４は、リソースエレメントデマッピング部１９０３から出力された受信信号に対してフィルタリング処理を行う。フィルタリングされた信号は、プレコーディング部１８０５におけるプレコーディングに対応するデプレコーディング処理がすでに施された状態であり、フィルタ部１９０４からレイヤ毎の信号が出力される。レイヤーデマッピング部１９０５では、レイヤーマッピング部１８０４に対応する結合処理が施され、レイヤ毎の信号をコードワード毎の信号に変換する。変換されたコードワード毎の信号は、復調部１９０６において、変調部１８０３における変調処理に対応した復調処理が施され、デスクランブリング部１９０７において、スクランブル部１８０２で用いたスクランブリング符号の共役符号が乗算（スクランブリング符号で除算）した後、復号部１９０８でレートデマッピング処理および誤り訂正復号処理が施されて、コードワード毎の受信データを取得され、上位層１９０９に送られる。ここで、上位層１９０９に送られる受信データは、ＲＲＣシグナリングのための制御データを含んでおり、上位層１９０９はＲＲＣシグナリングによる基地局装置１０１からの指令を取得する。
【０１０９】
ここで、フィルタ部１９０４が行うフィルタリング処理では、受信アンテナ１９０１毎の受信信号に対して、ＺＦ（Ｚｅｒｏ  Ｆｏｒｃｉｎｇ）やＭＭＳＥ（Ｍｉｎｉｍｕｍ  Ｍｅａｎ  Ｓｑｕａｒｅ  Ｅｒｒｏｒ）やＭＬＤ（Ｍａｘｉｍｕｍ  Ｌｉｋｅｌｉｈｏｏｄ  Ｄｅｔｅｃｔｉｏｎ）などの方法を用いて、図１８におけるレイヤ毎の信号を検出する。
【０１１０】
一方、参照信号測定部１９１０では、リソースエレメントデマッピング部１９０３において取得した下りリンクＲＳが測定され、測定結果はフィードバック情報生成部１９１１に出力される。フィードバック情報生成部１９１１では、フィードバックモードに基づき、参照信号測定部１９１０から出力された下りリンクＲＳの測定結果を用いて、部分プレコーダ情報やＲＩ、ＣＱＩなどのフィードバック情報を生成する。
【０１１１】
フィードバック情報生成部１９１１において生成されたフィードバック情報は送信信号生成部１９１２において、送信信号に変換され、上りリンク送信信号として送信アンテナ１９１３を介して送信される。
【０１１２】
ここで、上記各実施形態で説明したように、端末装置１０２毎に各コンテンツを報告するタイミングを異なって設定することができる。そのため、上位層１９０９によりフィードバック情報生成部１９１１および送信信号生成部１９１２におけるＲＩ・ＣＱＩ・ＰＩの周期およびオフセットが設定され、フィードバック情報処理部１８１２は、いずれのタイミングでいずれのコンテンツを含む信号を生成するかを識別する。また、送信信号生成部１９１２は、いずれのタイミングでいずれのコンテンツを含む信号を送信するかを識別する。
【０１１３】
なお、上記各実施形態では、フィードバック情報として、好適なプレコーダを基地局に報告する場合について説明したが、不適なプレコーダを報告する場合に関しても、同様の処理を用いることにより、基地局でのプレコーディング処理を効率的に行うことができる。この場合、例えば、伝搬路を考慮した上で、受信信号電力が小さくなるようなプレコーダをコードブックから選択するという方法などを用いることができる。
【０１１４】
なお、図１８における基地局装置１０１の全部または一部、あるいは図１９における端末装置１０２の全部または一部との機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【０１１５】
また、「コンピュータシステム」は、ＷＷＷシステムを利用している場合であれば、ホームページ提供環境（あるいは表示環境）も含むものとする。
【０１１６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１１７】
また、図１８における基地局装置１０１の全部または一部と、図１９における端末装置１０２の全部または一部との機能を集積回路に集約して実現してもよい。基地局装置１０１、及び端末装置１０２の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１１８】
以上、この発明の実施形態に関して図面を参照して詳述してきたが、具体的な構成はこの実施形態に限られるものではなく、この発明の要旨を逸脱しない範囲の設計変更等も含まれる。
【産業上の利用可能性】
【０１１９】
本発明は、無線端末装置や無線基地局装置や無線通信システムや無線通信方法に用いて好適である。
【符号の説明】
【０１２０】
１０１…基地局装置
１０２…端末装置
１０３…下りリンク送信信号
１０４…フィードバック情報
１８０１…符号部
１８０２…スクランブル部
１８０３…変調部
１８０４…レイヤーマッピング部
１８０５…プレコーディング部
１８０６…参照信号生成部
１８０７…リソースエレメントマッピング部
１８０８…ＯＦＤＭ信号生成部
１８０９…送信アンテナ
１８１０…受信アンテナ
１８１１…受信信号処理部
１８１２…フィードバック情報処理部
１８１３…上位層
１９０１…受信アンテナ
１９０２…ＯＦＤＭ信号復調部
１９０３…リソースエレメントデマッピング部
１９０４…フィルタ部
１９０５…レイヤーデマッピング部
１９０６…復調部
１９０７…デスクランブル部
１９０８…復号部
１９０９…上位層
１９１０…参照信号測定部
１９１１…フィードバック情報生成部
１９１２…送信信号生成部
１９１３…送信アンテナ
２００１…基地局装置
２００２…端末装置
２００３…下りリンク送信信号
２００４…フィードバック情報
【図１】
2012010221.tif 000003
【図２】
2012010221.tif 000004
【図３】
2012010221.tif 000005
【図４】
2012010221.tif 000006
【図５】
2012010221.tif 000007
【図６】
2012010221.tif 000008
【図７】
2012010221.tif 000009
【図８】
2012010221.tif 000010
【図９】
2012010221.tif 000011
【図１０】
2012010221.tif 000012
【図１１】
2012010221.tif 000013
【図１２】
2012010221.tif 000014
【図１３】
2012010221.tif 000015
【図１４】
2012010221.tif 000016
【図１５】
2012010221.tif 000017
【図１６】
2012010221.tif 000018
【図１７】
2012010221.tif 000019
【図１８】
2012010221.tif 000020
【図１９】
2012010221.tif 000021
【図２０】
2012010221.tif 000022
【図２１】
2012010221.tif 000023